(57)【要約】【課題】  建築物のエレベータ設置空間等の垂直連通空間の工事において、ボルト・ナット・工具・小部材の落下を高い強度をもって確実に受け止め、又垂直部材の貫通と物品・人の移動を許容できる建築工事用落下防止シートを提供する。【解決手段】  ポリプロピレン製糸でもって杉綾織したシート１ａを上２枚下１枚重ね、その上下シート間の対角線方向に２本のナイロン製対角線ベルト１ｂを、シート周縁に沿ってナイロン製周縁ベルト１ｃを、シート周縁の長短辺の中間の辺縁で上下各６個所に直交するように係止ベルト１ｂを配置して縫止して一体化し、対角線ベルト１ｂと係止ベルト１ｂの先端には係止ループ１ｂ１，１ｇ１を形成し、落下防止シート本体１に３個所の切目１ｄを設け、同切目の周辺に面ファスナーシート２を縫止し、面ファスナー部３ａを有する補助シート３を面ファスナーシート２に脱着自在に付着する。【選択図】          図３
0003123454.tif 000002
【実用新案登録請求の範囲】
【請求項１】
高い引張強度の上下一対のシート間に対角線方向に少なくとも２本以上の先端に係止ループを形成した対角線ベルトを配置し、又シート間のシートの外周縁に沿って引張強度のある周縁ベルトを配置し、更に上下のシート間の周縁の複数個所に先端に係止ループを有する係止ベルトを配置し、同対角線ベルトと係止ベルトの各係止ループが外側に露出するように対角線ベルトと周縁ベルトと係止ベルトを上下のシートに引張強度の高い縫糸によって縫止して落下防止シート本体を作製し、同落下防止シート本体の所要の周縁から中央に向けて延びた切目を複数設け、切目の切目縁それぞれに沿って縁ベルトを引張強度の高い縫糸で縫止し、落下防止シート本体の切目の両側に所定巾の長さの領域に面ファスナーを設け、切目及び前記領域を覆う別体の補助シートの底面に面ファスナーを設け、落下防止シート本体の切目を覆うように補助シートをそれぞれの面ファスナーでもって脱着自在に付着させた建築工事用落下防止シート。
【請求項２】
切目を短い間隔おいて設け、その近接した切目及びその周辺領域それぞれに補助シートを面ファスナーでもって脱着自在に被せ、同補助シートを外すことで切目間に上下を貫通する開口を形成できるようにした請求項１記載の建築工事用落下防止シート。
【請求項３】
シートがポリプロピレン製糸を杉綾織して作製されたものである請求項１〜３記載の建築工事用落下防止シート。
【考案の詳細な説明】
【技術分野】
【０００１】
本考案は、主として多層階のコンクリート建築物のエレベータを設置する垂直の縦長の連通空間における工事（連通空間の内壁に電線・信号線・電気器具の配装、金具・部材の取付け、壁塗り作業、各階の出入口の開口部廻りの金具・部材の取付け工事等）を行う際に落下物（ペンチ、釘、ボルト・部材等）が落下しても大きく落下する前に受け止め、人身事故・損傷事故を防ぐための垂直連通空間の工事の為の落下防止シートに関する。
【背景技術】
【０００２】
従来、建物の建築工事において、上方で作業する者の保持するドライバー・ハンマー等器具又は上方に取付ける部材、切断・分離した部材、及びボルト・ナット等が下方に落下して、人身事故、他の部材の損傷事故を発生させていた。
これを防止する方法としては、建物の外部の外装作業であれば、外部足場の各段の外側の建枠に、シート枠体を外に向けて水平に張り出すように取付けることで、各段での落下物が下段・下方に落下するのを防止するようにしている（特開平８−２８０２９号公報参照）。
しかしながら、この落下防止方法は、建築物内の縦長の垂直連通空間ではシート枠体を取付けるベースがないので採用できるものではない。
従来、エレベータを設置する建物内の縦長の空間におけるエレベータの取付作業の場合縦長の空間の壁面に、又はエレベータの人出入口の床空間等にロープ止具を打設し、落下防止ネットに取付けたロープをロープ止具に係留させて落下防止ネットを張架して使用していた。
しかしながら、このネットによる落下防止では、ボルト・釘等の小さい落下物が網目からすり抜けて落下し、落下防止には不充分であった。更に大きな落下物４０〜５０ｋｇのものを受け止める程の充分な強度を保有していなかった。
更に、垂直方向に所定間隔を離して（例えば各階毎に）この落下防止ネットを安全の為に張っていく場合、垂直方向に長い垂直部材があるとネットを貫通ができず、垂直部材の設置が難しいという欠点があった。又、物品・人の上下の移動・移送も難しく、これを避けるためネットに孔・開口をあけると、落下物がその孔・開口から落下してしまい危険性が残るといった問題点があった。
【特許文献１】特開平８−２８０２９号公報
【考案の開示】
【考案が解決しようとする課題】
【０００３】
本考案が解決しようとする課題は、従来のこれらの問題点を解消し、垂直部材の貫通及び物品・人の移動を許容できて、高い引張強度を保有でき落下物防止が確実にできる落下防止シートを提供することにある。
【課題を解決するための手段】
【０００４】
かかる課題を解決した本考案の構成は、
１）  高い引張強度の上下一対のシート間に対角線方向に少なくとも２本以上の先端に係止ループを形成した対角線ベルトを配置し、又シート間のシートの外周縁に沿って引張強度のある周縁ベルトを配置し、更に上下のシート間の周縁の複数個所に先端に係止ループを有する係止ベルトを配置し、同対角線ベルトと係止ベルトの各係止ループが外側に露出するように対角線ベルトと周縁ベルトと係止ベルトを上下のシートに引張強度の高い縫糸によって縫止して落下防止シート本体を作製し、同落下防止シート本体の所要の周縁から中央に向けて延びた切目を複数設け、切目の切目縁それぞれに沿って縁ベルトを引張強度の高い縫糸で縫止し、落下防止シート本体の切目の両側に所定巾の長さの領域に面ファスナーを設け、切目及び前記領域を覆う別体の補助シートの底面に面ファスナーを設け、落下防止シート本体の切目を覆うように補助シートをそれぞれの面ファスナーでもって脱着自在に付着させた建築工事用落下防止シート
２）  切目を短い間隔おいて設け、その近接した切目及びその周辺領域それぞれに補助シートを面ファスナーでもって脱着自在に被せ、同補助シートを外すことで切目間に上下を貫通する開口を形成できるようにした前記１）記載の建築工事用落下防止シート
３）  シートがポリプロピレン製糸を杉綾織して作製されたものである前記１）〜３）記載の建築工事用落下防止シート
にある。
【考案の効果】
【０００５】
本考案の落下防止シートは、上下のシート間に引張強度のある対角線ベルトを２本以上配置して、又シート外周縁に周縁ベルトを配置して縫止することで一体化しているので高い引張強度・剪断強度を有し、落下物を切損を受けることが少なく受け止めることができる。特にポリプロピレン製糸を杉綾織にして作製することで高い引張強度と耐剪断力を確保でき、ボルト・ナット等の小物の落下物の他、重量ある４０〜５０ｋｇ程の部材の落下物を受け止めることができる。又、シートであるのでボルト・ナットの小物品の落下を受け止めて下方に落下するのを防ぐことができる。
更に、落下防止シート本体に切目を設け、この切目に補助シートを脱着自在に被せているので、落下防止シートを上下貫通させる部材を補助シートを外すことで切目を介して通過させることができる。又、広い断面の貫通物・部品・工具又は作業者は補助シートを外すことで切目間の領域を開放するすることで上下貫通・上下移動の開口を確保できて上下貫通・上下移動を可能としている。
【考案を実施するための最良の形態】
【０００６】
引張強度のあるシートとしては、ポリプロピレン製の糸を杉綾織して作製したものが強度・耐剪断性能の点で好ましい。
引張強度のある対角線ベルト・周縁ベルト・縁ベルトの素材としては、ナイロン製，ポリエステル製が使用できる。
又引張強度のある縫糸としては、ポリアミド系繊維（例えばケプラーミシン糸（商標名：デュポン社販売））が好ましい。
【実施例１】
【０００７】
以下、本考案の実施例１を図面に基づいて説明する。
本実施例１は、コンクリート建物のエレベータの設置工事における落下防止シートである。これに用いるシートとしてポリプロピレン製糸でもって杉綾織した３．１ｍ×３．９ｍの長方形状の織布を上２枚下１枚計３枚重ねて使用し、対角線ベルト・周縁ベルト・縁ベルトとしてはナイロンベルトの３枚重ねのものを使用し、縫糸としてはケプラーミシン糸（商標名）を使用し、切目は右側に１個所，左側に９２ｃｍの間隔を離して２個所に８５，８８，１０８ｃｍの長さのものが設けられ、切目に沿ってナイロンベルトを２枚重ねた縁ベルトが縫止されている。右側切目に９０×６０ｃｍの補助シートが、左側の２つの切目に６０×９０ｃｍと６０ｃｍ×１１０ｃｍの補助シートが落下防止シート本体の上面又は下面いずれかに面ファスナーで付着されている。２本の対角線ベルトはシートの対角線方向に配置され、係止ベルトはシートの上面・下面それぞれ６個所設けている。係止ベルトは上面・下面それぞれの右側長辺周縁に１個、左側長辺周縁に３個、短辺周縁それぞれに１個設けられている。対角線ベルトと係止ベルトの先端には外側に露出するように係止ループが形成されている例である。
【０００８】
図１は、実施例１のシートを示す平面図である。
図２は、実施例１のシート本体を示す平面図である。
図３は、実施例１の建築工事用落下防止シートの平面図である。
図４は、対角線ベルトの係止ループの取付状態を示す説明図である。
図５は、係止ベルトの取付状態を示す説明図である。
図６は、実施例１のエレベータ設置の垂直連通空間のコンクリート内壁面への取付状態を示す説明図である。
【０００９】
図中、Ｓはエレベータ設置の縦長の垂直連通空間、Ｒは実施例１の建築工事用落下防止シートである。又１は落下防止シート本体、１ａはポリプロピレン製糸でもって杉綾織した３．１ｍ×３．９ｍの長方形状の織布であるシートであって落下防止シート本体１には上２枚下１枚の計３枚重ねて使用されている。１ｂは落下防止シート本体の上下シート間で対角線方向に配置された２本の巾５ｃｍの３枚重ねのナイロン製対角線ベルト、１ｂ１は対角線ベルト１ｂの先端に形成された係止ループ、１ｃは同じく２枚重ねのナイロン製周縁ベルト、１ｄは３個所に設けた切目、１ｆは切目１ｄの切目縁に沿って配置された縁ベルトである。対角線ベルト１ｂ，周縁ベルト１ｃ，縁ベルト１ｆ，係止ベルト１ｇはケプラーミシン糸でもってシート１ａに縫止されている。
図中、１ｇは落下防止シート本体１の外周の上下各６個所に縫止された先端を輪加された係止ベルト、１ｇ１は係止ベルトの先端に形成された係止ループ、１ｈは落下防止シート本体１の切目１ｄに沿って設けた紐掛用ハト目孔である。２は切目１ｄの周辺エリアの落下防止シート本体１に縫止された面ファスナーシートであって、落下防止シート本体１の上面及び下面の両面それぞれに縫止されている。３は切目と切目の周辺エリアを覆う広さを有し面ファスナーシート２と付着する面ファスナー部３ａを一面に有する補助シート、４は建築工事用落下防止シートＲをエレベータ用の垂直連通空間Ｓのコンクリート内壁面に係止するために、同内壁面に固着した取付金具、５は対角線ベルト１ｂと係止ベルト１ｇの先端の係止ループ１ｂ１，１ｇ１を通して取付金具４にボルト５ａで脱着自在に取付けるための連結金具である。
【００１０】
この実施例１では、多層階のコンクリート建築物Ｂのエレベータ設置の縦長の垂直連通空間Ｓの各階の出入口付近の内壁面付近に取付金具４を複数固着する。
次に本実施例１の建築工事用落下防止シートＲを各階の出入口付近の垂直連通空間Ｓに配置し、本実施例の建設工事用落下防止シートＲの対角線ベルト１ｂの係止ループ１ｂ１と係止ベルト１ｇの係止ループ１ｇ１を連結金具５に掛け、同連結金具５をボルトによって内壁面に固着した取付金具４に連結する。これによって落下防止シートＲは垂直連通空間Ｓに各階毎に略水平に張架される。
【００１１】
この実施例１の建設工事用落下防止シートは各階毎に設けるので、上層階の作業と下方階の作業を並行して安全に作業でき、作業性が良好となる。又、落下物があっても各階の落下防止シートＲで受け止められ短い距離しか落下せず、落下防止シートＲが安全に受け止める。しかも本考案の建設工事用落下防止シートＲは強度のあるポリプロピレン製糸を杉綾織にしているシート１ａを複数枚重ねているので強度が高く及び切傷・裂傷が少なくて済む。又強度は対角線ベルト１ｂと周縁ベルト１ｃとによって更により高いものとなっている。
【００１２】
更に、シートを貫通する垂直柱・垂直壁・垂直配管があれば、補助シート３を面ファスナーから外せば切目１ｄが開放され、切目でできる間隙に垂直柱・垂直壁・垂直配管等の部材を貫通させることができる。又断面積が大きな部材を貫通させるときは、左側の２個の切目１ｄの補助シート３を取り外し、切目間の領域を開口することによってできる。又この開口は作業者の出入口、又は物品の上下移送の出入口として使用できる。
【産業上の利用可能性】
【００１３】
本考案は、コンクリート建築物のエレベータの設定空間ばかりでなく、垂直に長い吹き抜け空間の内装工事、非常用脱出洞、集中配管配線の垂直空間でも使用できる。
【図面の簡単な説明】
【００１４】
【図１】実施例１のシートを示す平面図である。
【図２】実施例１のシート本体を示す平面図である。
【図３】実施例１の建築工事用落下防止シートの平面図である。
【図４】対角線ベルトの係止ループの取付状態を示す説明図である。
【図５】係止ベルトの取付状態を示す説明図である。
【図６】実施例１のコンクリート壁面への取付状態を示す説明図である。
【符号の説明】
【００１５】
Ｒ  建築工事用落下防止シート
Ｓ  垂直連通空間
Ｓａ  内壁面
１  落下防止シート本体
１ａ  シート
１ｂ  対角線ベルト
１ｂ１  係止ループ
１ｃ  周縁ベルト
１ｄ  切目
１ｆ  縁ベルト
１ｇ  係止ベルト
１ｇ１  係止ループ
１ｈ  ハト目孔
２  面ファスナーシート
３  補助シート
３ａ  面ファスナー部
４  取付金具
５  連結金具
５ａ  ボルト
【図１】
0003123454.tif 000003
【図２】
0003123454.tif 000004
【図３】
0003123454.tif 000005
【図４】
0003123454.tif 000006
【図５】
0003123454.tif 000007
【図６】
0003123454.tif 000008
【手続補正書】
【提出日】平成18年3月2日(2006.3.2)
【手続補正１】
【補正対象書類名】実用新案登録請求の範囲
【補正対象項目名】全文
【補正方法】変更
【補正の内容】
【実用新案登録請求の範囲】
【請求項１】
高い引張強度の上下一対のシート間に対角線方向に少なくとも２本以上の先端に係止ループを形成した対角線ベルトを配置し、又シート間のシートの外周縁に沿って引張強度のある周縁ベルトを配置し、更に上下のシート間の周縁の複数個所に先端に係止ループを有する係止ベルトを配置し、同対角線ベルトと係止ベルトの各係止ループが外側に露出するように対角線ベルトと周縁ベルトと係止ベルトを上下のシートに引張強度の高い縫糸によって縫止して落下防止シート本体を作製し、同落下防止シート本体の所要の周縁から中央に向けて延びた切目を複数設け、切目の切目縁それぞれに沿って縁ベルトを引張強度の高い縫糸で縫止し、落下防止シート本体の切目の両側に所定巾の長さの領域に面ファスナーを設け、切目及び前記領域を覆う別体の補助シートの底面に面ファスナーを設け、落下防止シート本体の切目を覆うように補助シートをそれぞれの面ファスナーでもって脱着自在に付着させた建築工事用落下防止シート。
【請求項２】
切目を短い間隔おいて設け、その近接した切目及びその周辺領域それぞれに補助シートを面ファスナーでもって脱着自在に被せ、同補助シートを外すことで切目間に上下を貫通する開口を形成できるようにした請求項１記載の建築工事用落下防止シート。
【請求項３】
シートがポリプロピレン製糸を杉綾織して作製されたものである請求項１又は２記載の建築工事用落下防止シート。
【手続補正２】
【補正対象書類名】明細書
【補正対象項目名】０００４
【補正方法】変更
【補正の内容】
【０００４】
かかる課題を解決した本考案の構成は、
１）  高い引張強度の上下一対のシート間に対角線方向に少なくとも２本以上の先端に係止ループを形成した対角線ベルトを配置し、又シート間のシートの外周縁に沿って引張強度のある周縁ベルトを配置し、更に上下のシート間の周縁の複数個所に先端に係止ループを有する係止ベルトを配置し、同対角線ベルトと係止ベルトの各係止ループが外側に露出するように対角線ベルトと周縁ベルトと係止ベルトを上下のシートに引張強度の高い縫糸によって縫止して落下防止シート本体を作製し、同落下防止シート本体の所要の周縁から中央に向けて延びた切目を複数設け、切目の切目縁それぞれに沿って縁ベルトを引張強度の高い縫糸で縫止し、落下防止シート本体の切目の両側に所定巾の長さの領域に面ファスナーを設け、切目及び前記領域を覆う別体の補助シートの底面に面ファスナーを設け、落下防止シート本体の切目を覆うように補助シートをそれぞれの面ファスナーでもって脱着自在に付着させた建築工事用落下防止シート
２）  切目を短い間隔おいて設け、その近接した切目及びその周辺領域それぞれに補助シートを面ファスナーでもって脱着自在に被せ、同補助シートを外すことで切目間に上下を貫通する開口を形成できるようにした前記１）記載の建築工事用落下防止シート
３）  シートがポリプロピレン製糸を杉綾織して作製されたものである前記１）又は２）記載の建築工事用落下防止シート
にある。